(57)【特許請求の範囲】
【請求項１】
集水ます本体の上方への開口に対して冠着される雨樋集水ますの蓋体であって、中程に水抜き孔が配置され、上面部には、傾斜面として、外側から前記水抜き孔に向って下る傾斜面部と、建物壁面側の外周端部に設けられ、かつ、前記水抜き孔側に向って下る傾斜片部とが設けられており、傾斜片部は、傾斜面部よりも一段高く、建物壁面側へ突出していることを特徴とする雨樋集水ますの蓋体。
【請求項２】
請求項１に記載の蓋体が集水ます本体の上方への開口に対して冠着されていることを特徴とする雨樋集水ます。
【発明の詳細な説明】
【技術分野】
【０００１】
本発明は、雨樋集水ますの蓋体と、これを冠着した雨樋集水ますに関するものである。
【背景技術】
【０００２】
従来から、たとえば図３（Ａ）（Ｂ）、図４に示したように、底部に排水筒部２が連結垂下された角器状の集水ます本体１と、その上方への開口に冠着された蓋体３とからなる雨樋集水ますが知られている。通常、この集水ますにおいては、集水ます本体１の建物壁側には、雨樋エルボ４の端部が挿入されるエルボ挿入口１１が設けられている。また、集水ます本体１の上方への開口に冠着される蓋体３については、付着した雨水を集水ます本体１へと落下させるための水抜き孔３１を穿設したものが知られている（たとえば特許文献１参照）。
【０００３】
そして集水ますの建物壁面５への取付けに際しては、図３（Ｂ）のように、集水ます本体１とある程度の距離をとって雨樋エルボ４が露出した状態で金具６等によって取付け固定することや、図４のように、できるだけ建物壁面５に密着させるように取付け固定することが行われている。
【０００４】
ただ、雨樋エルボ４の図３（Ｂ）のような露出は外観上もあまり好ましくないことから、図４のようにできるだけ建物壁面５に集水ます本体１を密着させるように施工する（特許文献１）か、あるいは、図５のように、蓋体３に設けた張出し部３２とエルボカバー７とをもって雨樋エルボ４の露出部を覆うようにすることが考えられている（特許文献２参照）。
【特許文献１】実用新案登録第２５７５４０２号公報
【特許文献２】特開２００６−１９３９８８号公報
【発明の開示】
【発明が解決しようとする課題】
【０００５】
しかしながら、以上のような従来の雨樋集水ますにおいては、図３（Ｂ）のように露出している雨樋エルボ４の周囲から、また、雨樋エルボ４の露出にともなう外観上の問題を改善した図４、あるいは図５のような場合でも、集水ます本体１の周囲から雨水が建物壁面５を伝って流れ、建物壁面５での汚れや劣化が顕在化しやすいという問題点があった。図３、図４の雨樋集水ますのように、その蓋体３に水抜き孔３１を設けた場合でも、このような建物壁面５への雨水の伝え流れを抑止することは必ずしも十分ではなかった。
【０００６】
そこで、本発明は、このような従来の問題点を解決して、雨樋集水ますの設置にともなう雨水の建物壁面で伝え流れによる汚れの発生等の不都合をより効果的に解消することのできる新しい技術手段を提供することを課題としている。
【課題を解決するための手段】
【０００７】
本発明は、上記の課題を解決するものとして、以下のことを特徴としている。
【０００８】
第１：集水ます本体の上方への開口に対して冠着される雨樋集水ますの蓋体であって、中程に水抜き孔が配置され、上面部には、傾斜面として、外側から前記水抜き孔に向って下る傾斜面部と、建物壁面側の外周端部に設けられ、かつ、前記水抜き孔側に向って下る傾斜片部とが設けられており、傾斜片部は、傾斜面部よりも一段高く、建物壁面側へ突出していることを特徴とする雨樋集水ますの蓋体。
【０００９】
第２：上記の蓋体が集水ます本体の上方への開口に対して冠着されている雨樋集水ます。
【発明の効果】
【００１０】
上記第１の発明の蓋体によれば、水抜き孔に下る傾斜面によって建物壁面の雨水を円滑に水抜き孔へと導いて集水ます本体内へと流れ込ませることができるので、雨樋集水ますの設置にともなう雨水の建物壁面で伝え流れによる汚れの発生等の不都合をより効果的に解消することができる。
【００１１】
そして、第２の発明として、上記効果を奏する雨樋集水ますが提供されることになる。
【発明を実施するための最良の形態】
【００１２】
添付した図面の図１は、本発明の蓋体３の一実施形態を示した斜視断面図である。この実施形態の蓋体３では、その中程に水抜き孔３１が設けられており、また、その建物壁側の上面部には、傾斜面を有する傾斜片部３３と、傾斜面部３４とが配設されている。この場合の傾斜片部３３と傾斜面部３４との傾斜面は、いずれも水抜き孔３１に向って下るようにされている。
【００１３】
図２（Ａ）（Ｂ）は、このような傾斜面を有する蓋体３を、底部に落とし口を有する角器状の集水ます本体１の上方への開口に冠着して建物壁面５近傍に配置した状態を例示した断面図と平面図である。蓋体３の上記傾斜片部３３の端縁は建物壁面５にほぼ当接した状態で配置されている。
【００１４】
この蓋体３によれば、図２（Ａ）中に矢印で示したように、建物壁面５を上方より流れ落ちる雨水を、蓋体３の傾斜片部３３、そして傾斜片部３４の傾斜面によって円滑に水抜き孔３１へと誘導することができ、これによって雨水を集水ます本体１内へと流し込むことができる。
【００１５】
雨水が蓋体３や集水ます本体１から下方の建物壁面に伝って流れることを効果的に抑止することができる。これにより、建物壁面の汚れや劣化の発生等の不都合を解消することが可能とされる。
【００１６】
図１、図２の実施形態においては、傾斜片部３３の突出長さ：Ｌの選択によって、集水ます本体１と建物壁面５との施工上の距離の調整が可能となる。また、その幅：Ｗによって、雨水の回収エリアの調整が可能となる。
【００１７】
図１、図２の実施形態では、蓋体３は、傾斜片部３３を有しているが、これを設けることなく、傾斜面部３４が直接的に建物壁面５に当接ないし、実質的に当接するようにしてもよい。また、図１、図２の実施形態では、蓋体３には、立設枠３５を設けているが、これは必ずしも必要ではない。蓋体の強度、成形性、雨水の回収性等を考慮して立設枠３５の有無や、これを設ける場合の大きさを決めることができる。そしてまた、上記の傾斜面部３４についても、傾斜片部３３を設ける場合には、雨水の流れ状態からほぼ水平状態のものとすることもできる。傾斜片部３３の大きさや傾斜角度についても同様である。
【００１８】
蓋体３の大きさ、形状、そして、水抜き孔３１の大きさ、形状も雨樋集水ますの設置場所、設置状況、雨水の流入等を考慮して定めることができる。蓋体３が冠着される集水ます本体１についても、その大きさ、容量、形状、そして蓋体３との連結手段についても同様である。
【００１９】
もちろん本発明は以上の例示に限られることなく、様々な形態として実施可能であることは言うまでもない。
【図面の簡単な説明】
【００２０】
【図１】本発明の蓋体の一実施形態を例示した斜視断面図である。
【図２】本発明の蓋体の設置状況を例示した断面図と平面図である。
【図３】従来の雨樋集水ますとその設置状況を示した斜視図と側面図である。
【図４】別の設置状況を示した側面図である。
【図５】従来の別の両樋集水ますとその設置状況を示した斜視図と側面図である。
【符号の説明】
【００２１】
１  集水ます本体
１１  エルボ挿入口
２  排水筒部
３  蓋体
３１  水抜き孔
３２  張出し部
４  雨樋エルボ
５  建物壁面
６  金具
７  エルボカバー
【図１】
0005173299.tif 000002
【図２】
0005173299.tif 000003
【図３】
0005173299.tif 000004
【図４】
0005173299.tif 000005
【図５】
0005173299.tif 000006